(57)【特許請求の範囲】
【請求項１】
複数の動作モードを有する複合機であって、
前記動作モードを選択するための第１ユーザインターフェース画像と、選択された前記動作モードにおける動作条件を設定するための第２ユーザインターフェース画像を表示する表示部を備え、
前記第１ユーザインターフェース画像は、前記複数の動作モードを選択するための複数の第１操作アイコンを有し、当該複数の第１操作アイコンを切り替え可能に表示する第１表示領域と、当該複数の第１操作アイコンを固定表示する第２表示領域とを含み、
前記第２ユーザインターフェース画像は、前記動作条件を設定するための複数の第２操作アイコンを有し、当該複数の第２操作アイコンを切り替え可能に表示する第３表示領域と、当該複数の第２操作アイコンを固定表示する第４表示領域とを含み、
前記第１表示領域と前記第３表示領域は重複する領域を有し、
前記第２表示領域と前記第４表示領域は重複する領域を有し、
前記複数の第２操作アイコンは、前記動作条件を設定する複数の設定アイコン、画像処理の実行を指示するスタートキー、および前記動作条件の設定内容のクリアを指示するリセットキーを含み、
前記動作モードに拘わらず、前記第３表示領域に前記複数の設定アイコンを表示し、前記第４表示領域のうち、前記表示部の全表示領域のいずれか１つの角部に前記スタートキーを表示し、当該全表示領域の他の角部に前記リセットキーを表示する、複合機。
【請求項２】
前記第１表示領域と第３表示領域は、重複する領域の面積が重複しない領域の面積よりも大きい、請求項１記載の複合機。
【請求項３】
前記第２表示領域と第４表示領域は、重複する領域の面積が重複しない領域の面積よりも大きい、請求項１または２記載の複合機。
【請求項４】
前記表示部の全表示領域は矩形形状であり、前記第２表示領域と前記第４表示領域は当該全表示領域の同一の辺に沿って設けられる、請求項１ないし３のいずれかに記載の複合機。
【請求項５】
前記表示部の全表示領域は矩形形状であり、前記第２表示領域と前記第４表示領域は当該全表示領域における同一の角部に設けられる、請求項１ないし３のいずれかに記載の複合機。
【請求項６】
前記第１表示領域における前記複数の第１操作アイコンの配置と、前記第３表示領域における前記複数の第２操作アイコンの配置は同一である、請求項１ないし５のいずれかに記載の複合機。
【請求項７】
前記第３表示領域に表示される前記第２操作アイコンの第１数は、前記第１表示領域に表示される前記第１操作アイコンの第２数と同一である、または当該第２数未満である、請求項１ないし６のいずれかに記載の複合機。
【発明の詳細な説明】
【技術分野】
【０００１】
本発明は、複合機に関し、詳細には、角部を有した表示画面を有し、ユーザ操作を受け付けるためのユーザインターフェース画像を表示する表示部を備えた複合機に関する。
【背景技術】
【０００２】
画像形成装置には、例えば、コピー、ファクシミリ、スキャナ、印刷などの複数の機能を１台に集約した複合機（ＭＦＰ：Ｍｕｌｔｉ  Ｆｕｎｃｔｉｏｎ  Ｐｅｒｉｐｈｅｒａｌ）があり、小さなスペースで大きなビジネス効果を得ることが期待されている。
【０００３】
一方、各機能を画像形成装置で実行するには、画像形成装置の操作部で具体的な設定が必要になり、操作が難しいユーザもいることが予想される。例えば、特許文献１には、ユーザが初心者であっても熟練者であっても共に使い易いユーザインターフェースを実現するための技術が開示されている。
【先行技術文献】
【特許文献】
【０００４】
【特許文献１】特開２０１４−７８１５９号公報
【発明の概要】
【発明が解決しようとする課題】
【０００５】
この特許文献１の画像形成装置は、コピー、ＦＡＸ等の複数の動作モードを備えており、ホーム画面において、いずれの動作モードを実行するかをユーザに選択させ、たとえば、コピーが選択された場合には、コピーモードの動作設定を行なう初心者用設定画面が表示される。しかし、ホーム画面と初心者用設定画面では、画面に表示されるボタンないしキーの配置等を含む画面のレイアウトが全く異なるため、操作するユーザが戸惑ってしまう可能性があると思われる。したがって、改善の余地がある。
【０００６】
それゆえに、この発明の主たる目的は、新規な、複合機を提供することである。
【０００７】
また、この発明の他の目的は、操作時におけるユーザの戸惑いを出来る限り低減することができる、複合機を提供することを目的とする。
【課題を解決するための手段】
【０００８】
第１の発明は、複数の動作モードを有する複合機であって、動作モードを選択するための第１ユーザインターフェース画像と、選択された動作モードにおける動作条件を設定するための第２ユーザインターフェース画像を表示する表示部を備え、第１ユーザインターフェース画像は、複数の動作モードを選択するための複数の第１操作アイコンを有し、当該複数の第１操作アイコンを切り替え可能に表示する第１表示領域と、当該複数の第１操作アイコンを固定表示する第２表示領域とを含み、第２ユーザインターフェース画像は、動作条件を設定するための複数の第２操作アイコンを有し、当該複数の第２操作アイコンを切り替え可能に表示する第３表示領域と、当該複数の第２操作アイコンを固定表示する第４表示領域とを含み、第１表示領域と第３表示領域は重複する領域を有し、第２表示領域と第４表示領域は重複する領域を有し、複数の第２操作アイコンは、動作条件を設定する複数の設定アイコン、画像処理の実行を指示するスタートキー、および動作条件の設定内容のクリアを指示するリセットキーを含み、動作モードに拘わらず、第３表示領域に複数の設定アイコンを表示し、第４表示領域のうち、表示部の全表示領域のいずれか１つの角部にスタートキーを表示し、当該全表示領域の他の角部にリセットキーを表示する、複合機である。
【０００９】
第２の発明は、第１の発明に従属し、第１表示領域と第３表示領域は、重複する領域の面積が重複しない領域の面積よりも大きい。
【００１０】
第３の発明は、第１または第２の発明に従属し、第２表示領域と第４表示領域は、重複する領域の面積が重複しない領域の面積よりも大きい。
【００１１】
第４の発明は、第１ないし第３の発明のいずれかに従属し、表示部の全表示領域は矩形形状であり、第２表示領域と第４表示領域は当該全表示領域の同一の辺に沿って設けられる。
【００１２】
第５の発明は、第１ないし第３の発明のいずれかに従属し、表示部の全表示領域は矩形形状であり、第２表示領域と第４表示領域は当該全表示領域における同一の角部に設けられる。
【００１３】
第６の発明は、第１ないし第５の発明のいずれかに従属し、第１表示領域における複数の第１操作アイコンの配置と、第３表示領域における複数の第２操作アイコンの配置は同一である。
【００１４】
第７の発明は、第１ないし第６の発明のいずれかに従属し、第３表示領域に表示される第２操作アイコンの第１数は、第１表示領域に表示される第１操作アイコンの第２数と同一である、または当該第２数未満である。
【発明の効果】
【００１７】
本発明によれば、動作モードを選択するための第１ユーザインターフェース画像と、各動作モードにおける動作条件を設定するための第２ユーザインターフェース画像との表示形態を類似させるので、操作時におけるユーザの戸惑いを出来る限り低減することができる。
【図面の簡単な説明】
【００１８】
【図１】本発明による画像形成装置の構成図である。
【図２】操作部の説明図である。
【図３】ホーム画面の説明図である。
【図４】シンプルコピーの基本画面の説明図である。
【図５】シンプルコピーの用紙選択画面の説明図である。
【図６】シンプルコピーの両面コピー画面の説明図である。
【図７】シンプルコピーのテンキー画面の説明図である。
【図８】シンプルファックスの基本画面の説明図である。
【図９】シンプルファックスのアドレス帳画面の説明図である。
【図１０】シンプルスキャンの基本画面の説明図である。
【図１１】シンプルスキャンの履歴画面の説明図である。
【図１２】制御部の制御処理を示すフロー図である。
【図１３】制御部のシンプルコピー処理の一部を示すフロー図である。
【図１４】制御部のシンプルコピー処理の他の一部であって、図１３に後続するフロー図である。
【図１５】制御部のシンプルファックス処理の一部を示すフロー図である。
【図１６】制御部のシンプルファックス処理の他の一部であって、図１５に後続するフロー図である。
【図１７】制御部のシンプルスキャン処理の一部を示すフロー図である。
【図１８】制御部のシンプルスキャン処理の他の一部であって、図１７に後続するフロー図である。
【発明を実施するための形態】
【００１９】
以下、図面を参照しながら本発明の画像形成装置について説明する。図１は、本発明による画像形成装置の構成図であり、図２は、図１の操作部の説明図である。
【００２０】
図１に示すように、画像形成装置１０は、通信Ｉ／Ｆ１１、操作部１２、原稿読取部１３、画像処理部１４、印刷部１５、記憶部１６、制御部１７等を有し、これらはバスを介して接続される。
【００２１】
制御部１７は、通信Ｉ／Ｆ１１を介して外部機器（図示省略）と通信可能に構成されている。通信Ｉ／Ｆ１１は、例えば、ＦＡＸ通信部、赤外線通信部等を備えている。
【００２２】
制御部１７は、例えば１あるいは複数個のＣＰＵ（Ｃｅｎｔｒａｌ  Ｐｒｏｃｅｓｓｉｎｇ  Ｕｎｉｔ）等からなり、記憶部１６の例えばＲＯＭに格納されている各種のプログラムやデータをＲＡＭにロードし、このロードしたＲＡＭ内のプログラムを実行する。これにより、データを処理しつつ、ユーザからの指示内容等に基づいて画像形成装置１０の全体の動作を制御できる。
【００２３】
原稿読取部１３は、所定位置にセットされた原稿を光学的に読み取り可能に構成され、読み取られた原稿の画像は制御部１７を経由して画像処理部１４に出力される。
【００２４】
操作部１２は、例えば、原稿読取部１３の手前側に配置されており、液晶のディスプレイ２２と透明抵抗膜方式のタッチパネル２１からなる操作パネル２０や、図２にも示すような接触接点を用いたハードキー２３で構成される。
【００２５】
タッチパネル２１はディスプレイ２２に重ねて形成され、本実施形態の操作パネル２０は、例えば横方向に長い長方形状に形成されている。つまり、操作パネル２０（ディスプレイ２２）の表示領域の全体（全表示領域）の形状は矩形形状である。タッチパネル２１は、ユーザによるタッチ操作（タッチ入力）を受け付け、タッチ位置に対応する座標データを制御部１７に与える（入力する）。
【００２６】
操作パネル２０には、画像形成装置１０に対するユーザ操作を受け付けるためのユーザインターフェース画像が表示可能である。なお、操作パネル２０が本発明の表示部に相当する。また、操作パネル２０を縦方向に長い長方形状に形成することも可能である。
【００２７】
また、ハードキー２３は、ユーザ操作されたキーないしボタンに応じた操作データが制御部１７に与える（入力する）。たとえば、ハードキー２３は、ホーム画面の表示を指示するためのホームボタンと、省電力モードの設定および解除（通常モードへの復帰）を指示するための省電力ボタンを含む。
【００２８】
画像処理部１４は、外部機器からの送信データや、原稿読取部１３などで読み取られた原稿のデータに種々の処理を行って画像データを生成する。この生成された画像データは印刷部１５に出力可能である。上記送信データ、読み取られた原稿のデータや生成された画像データは、記憶部１６の入力画像領域３１に格納される。
【００２９】
印刷部１５は、給紙、画像形成、転写、定着、排紙等を行って印刷を実行可能に構成され、画像処理部１４からの画像データを用紙に印刷できる。
【００３０】
また、制御部１７は、例えば、表示制御部３０を備えている。表示制御部３０は、操作パネル２０の表示内容を調整することができ、画像形成装置１０の所定の動作を開始させるためのスタートキー、および、画像形成装置１０の所定の動作に関する設定を中止させるためのリセットキー、ならびに、画像形成装置１０で実行させる機能をユーザに選択させるための機能選択画像などを操作パネル２０に表示させる。
【００３１】
図３は、図２で説明した操作パネル２０に表示されるホーム画面の説明図である。
【００３２】
画像形成装置では、従来の設定モード（ノーマルモードともいう）とは別に、ユーザが操作しやすくするために、シンプルモードを設けている。以下の説明において操作パネル２０に表示されるボタンないしキー或いは機能を選択するための画像はアイコン（操作アイコン）とも呼ばれる。
【００３３】
シンプルモードでは操作パネル２０の表示内容だけでジョブを設定して実行することができる。詳しくは、ホーム画面は、例えば、図３（Ａ）に示すホーム第１画面４１と図３（Ｂ）に示すホーム第２画面４２とに分かれており、矢印ボタン４５あるいは各ホーム画面４１，４２へのフリック操作によって、ホーム第１画面４１とホーム第２画面４２とを遷移可能である。
【００３４】
各ホーム画面４１，４２の例えば上端には、横方向に延びた帯状（矩形形状）のシステム領域４００が設けられている。システム領域４００には、各動作モードを選択するためのシンプルコピーボタン４３ａ、シンプルファックスボタン４３ｂ、シンプルスキャンボタン４３ｃなどが設けられている。
【００３５】
システム領域４００の下側には、各動作モードを選択するためのメニュー画像４４を表示するための表示領域４１０が設けられている。ホーム第１画面４１には、シンプルコピーボタン４４ａ、シンプルファックスボタン４４ｂ、シンプルスキャンボタン４４ｃ、ＦＴＰ／Ｄｅｓｋｔｏｐボタン４４ｄが設けられ、ホーム第２画面４２には、コピーボタン４４ｅ、ファックスボタン４４ｆ、Ｅ−Ｍａｉｌボタン４４ｇ、共有フォルダーボタン４４ｈが設けられている。
【００３６】
システム領域４００のシンプルコピーボタン４３ａ、シンプルファックスボタン４３ｂ、シンプルスキャンボタン４３ｃや、ホーム第１画面４１のシンプルコピーボタン４４ａ、シンプルファックスボタン４４ｂ、シンプルスキャンボタン４４ｃがシンプルモードへの移行ボタンに該当する。このように、本実施形態では、各ホーム画面４１，４２のシステム領域４００、あるいはホーム第１画面４１のメニュー画像４４からシンプルモードに移行することができる。
【００３７】
また、各ホーム画面４１，４２では、表示領域４１０の下側には、動作モードとは異なる他のメニューを選択するためのボタン画像４６ａ、４６ｂ、４６ｃ、４６ｄ、４６ｅ、４６ｆが設けられた表示領域４２０が設けられる。たとえば、表示領域４２０は、横方向に長い長方形状を有しており、各ホーム画面４１，４２の下端部に表示される。この表示領域４２０には、上記の各ボタン画像４６ａ〜４６ｆが横方向に並んで表示される。
【００３８】
詳細な説明は省略するが、ボタン画像４６ａは、操作ガイドを表示するために設けられる。ボタン画像４６ｂは、操作パネル２０に表示させる文字の文字サイズを設定するために設けられる。ボタン画像４６ｃは、操作パネル２０に表示させる文字の言語を設定するために設けられる。ボタン画像４６ｄは、現在までの総使用枚数を表示するために設けられる。ボタン画像４６ｅは、操作パネル２０（ディスプレイ２２）の明度（表示輝度）を調整するために設けられる。ボタン画像４６ｆは、この画像形成装置１０の製造または販売者からのお知らせを表示するために設けられる。
【００３９】
なお、これらのボタン画像４６ａ〜４６ｆの数および機能は一例であり、限定される必要はない。画像形成装置１０の種類等によって適宜変更可能である。また、ユーザが表示するボタン画像４６ａ〜４６ｆを選択できるようにしてもよい。
【００４０】
（第１実施形態）
図４は、シンプルコピーの基本画面の説明図である。
【００４１】
図３に示したシンプルコピーボタン４３ａあるいはシンプルコピーボタン４４ａを選択すると、図４（Ａ）に示すコピー第１画面５１が表示される。また、フリック操作などによって、コピー第１画面５１から図４（Ｂ）に示すコピー第２画面５２に遷移できる。コピー第１画面５１およびコピー第２画面５２は、動作モードがシンプルコピーである場合に、用紙選択、画面コピー、倍率、ステープル機能、カラーモード、画像の向き、コピー濃度、ページ集約などの動作条件を設定するための画面である。
【００４２】
コピー第１画面５１には、動作モードがシンプルコピーであることを表示するための表示領域５００が上端部に設けられ、この表示領域５００の下方に、機能選択画像５５を表示するための表示領域５１０が設けられる。さらに、この表示領域５１０の下方であり、コピー第１画面５１の下端部には、スタートキー５３およびリセットキー５４などを表示するための表示領域５２０が設けられる。表示領域５００、５１０、５２０は、それぞれ、横方向に長い長方形状を有している。
【００４３】
コピー第１画面５１のいずれかのコーナ領域ないし角部には、スタートキー５３が表示されている。たとえば、スタートキー５３は、コピー第１画面５１の右下のコーナ領域、すなわち、表示領域５２０の右端の領域に表示されている。スタートキー５３は、横方向に長い長方形状で設けられている。また、スタートキー５３は、ほぼ中央で左右に分割されており、左側には白黒スタートキー５３ａが、右側にはカラースタートキー５３ｂが設けられている。
【００４４】
一方、コピー第１画面５１のうち、スタートキー５３が表示されたコーナ領域とは異なるコーナ領域には、リセットキー５４が表示されている。つまり、リセットキー５４は、コピー第１画面５１の左下のコーナ領域、すなわち、表示領域５２０の左端の領域に表示されている。リセットキー５４は、横方向に長い長方形状で設けられるが、白黒スタートキー５３ａ（あるいはカラースタートキー５３ｂ）よりも若干小さなサイズで設けられている。
【００４５】
このように、スタートキー５３とリセットキー５４がソフトウェアキーで構成されており、配置や形状等の仕様の変更が容易になる。また、表示画面へのタップ操作で画像形成装置の動作の開始や設定の中止が可能になる。
【００４６】
また、スタートキー５３とリセットキー５４とは全く別の結果を導くキーであるが、これらは同じ表示画面の異なるコーナ領域に表示されているので、押し間違いを減らすことができる。特に、スタートキー５３とリセットキー５４を表示画面の右下のコーナ領域と左下のコーナ領域とに離して表示すれば、同じ手で操作する場合の押し間違いを減らすことができる。
【００４７】
また、たとえば、表示領域５２０は、各ホーム画面４１，４２の表示領域４２０と同程度の大きさを有している。ただし、表示領域５２０は、表示領域４２０と同じ大きさであってよい。したがって、操作パネル２０の全表示領域において、表示領域４２０と表示領域５２０とは同じ位置に、同程度の大きさまたは同じ大きさで設けられる。このため、各ホーム画面４１，４２とコピー第１画面５１を重ねた場合には、表示領域４２０と表示領域５２０とが重複する（重なる）面積は、それらが重複しない（重ならない）面積よりも大きい。
【００４８】
このように、ボタン画像４６ａ〜４６ｆが固定的に表示された表示領域４２０と同じ位置に、同程度または同じ大きさで、各キー５３，５４などが固定的に表示された表示領域５２０を設けるので、各ホーム画面４１，４２と、コピー第１画面５１（コピー第２画面５２も同じ）とは、各ボタンないしキーを表示する表示領域の配列（レイアウト）が類似する。このため、操作時におけるユーザの戸惑いを出来る限り低減することができる。
【００４９】
図４（Ｂ）に示したコピー第２画面５２にも、コピー第１画面５１と同様に、右下のコーナ領域にはスタートキー５３が表示され、左下のコーナ領域にはリセットキー５４が表示されている。つまり、スタートキー５３は表示領域５２０の右端の領域に表示され、リセットキー５４は表示領域５２０の左端の領域に表示されている。コピー第１画面５１やコピー第２画面５２のように複数の表示画面に遷移する場合にも、スタートキー５３とリセットキー５４は常に表示されているため、画像形成装置の動作の開始や設定の中止を速やかに行うことができる。
【００５０】
これに対し、表示領域５１０には、上述したように、機能選択画像５５が表示されている。シンプルモードでは、選択可能な機能数が例えば８個までに制限されるが、各ボタンや文字が大きなサイズで表示されており、ユーザが操作しやすいように工夫されている。
【００５１】
例えばコピー第１画面５１には、スタートキー５３およびリセットキー５４よりも上方であって、表示領域５１０の左端から右端に亘って、用紙選択ボタン５５ａ、両面コピーボタン５５ｂ、倍率ボタン５５ｃ、ステープルボタン５５ｄによる４個の機能ボタンが設けられている。コピー第２画面５２には、コピー第１画面５１と同様の位置に、カラーモードボタン５５ｅ、画像の向きボタン５５ｆ、コピー濃度ボタン５５ｇ、ページ集約ボタン５５ｈによる４個の機能ボタンが設けられている。このように、機能選択画像５５を表示領域５１０の左端から右端に亘って表示できるので、多くの機能を表示することができる。
【００５２】
また、表示領域５００は、システム領域４００と同じまたは同程度の大きさを有してあるため、表示領域５１０と表示領域４１０も同じまたは同程度の大きさを有している。したがって、メニュー画像４４が切り替え可能に表示された表示領域４１０と同じ位置に、同じまたは同程度の大きさで、機能選択画像５５が切り替え可能に表示された表示領域５２０を設けるので、各ホーム画面４１，４２と、コピー第１画面５１（コピー第２画面５２も同じ）とは、移動可能な画像の表示領域の配列（レイアウト）が類似する。また、一度に表示されるメニュー画像４４の数と、機能選択画像５５の数とは同じであり、いずれの画像４４，５５も横方向に並んでいるため、表示領域４１０と表示領域５２０の内部における画像の配列も類似する。これらの点においても、操作時におけるユーザの戸惑いを出来る限り低減することができる。
【００５３】
ただし、選択可能な機能数を制限したシンプルモードでは、例えばソート／グループ、とじしろ、表紙／合い紙などの項目は選べない。シンプルモードで選べない項目は、図３（Ｂ）に示したホーム第２画面４２のコピーボタン４４ｅを選択する、あるいは、図４のコピー第１画面５１やコピー第２画面５２の右上に示された詳細ボタンを選択することにより、ノーマルモードに移行してから実行する。
【００５４】
そして、図４（Ａ）に示したコピー第１画面５１で、例えば用紙選択ボタン５５ａを選択した場合、シンプルコピーの用紙選択画面が表示される。
【００５５】
図５は、シンプルコピーの用紙選択画面の説明図であり、用紙選択画面５６には、現在選択されているトレイやその用紙の種類の他、選択可能なトレイやその用紙の種類が表示される。
【００５６】
ここで、用紙選択画面５６の右下のコーナ領域には、横方向に長い長方形状のスタートキー５３が表示されている。つまり、このスタートキー５３は、図４で説明したコピー第１画面５１やコピー第２画面５２に表示されたスタートキーと同じ右下のコーナ領域に、同じ形状、かつ、同じ大きさで表示されている。また、用紙選択画面５６の左下のコーナ領域には、リセットキー５４が表示され、このリセットキー５４も、コピー第１画面５１やコピー第２画面５２に表示されたリセットキーと同じ左下のコーナ領域に、同じ形状、かつ、同じ大きさで表示されている。このように、スタートキーやリセットキーは、位置、大きさや形状が変わらないので、押し間違いの低減や画像形成装置の動作開始や設定中止の迅速化に貢献する。
【００５７】
さらに、図４に示したコピー第１画面５１から図５に示した用紙選択画面５６のように複数の表示画面に遷移する場合にも、スタートキー５３とリセットキー５４は常に表示されているため、この点も画像形成装置の動作開始や設定中止の迅速化に貢献する。
【００５８】
図６は、シンプルコピーの両面コピー画面の説明図であり、図４（Ａ）に示したコピー第１画面５１で、両面コピーボタン５５ｂを選択した場合、シンプルコピーの両面コピー画面５７が表示される。両面コピー画面５７には、選択可能な両面コピーの種類やとじ方が表示される。また、両面コピー画面５７のプレビューボタンを選択すると、プレビュー画像が両面コピー画面５７の右端に表示されるので、ユーザはプレビュー画像を見ながら両面コピーの種類やとじ方を選択できる。
【００５９】
ここで、両面コピー画面５７の右下のコーナ領域には、図５で示した用紙選択画面５６と同様のスタートキー５３が表示され、両面コピー画面５７の左下のコーナ領域には、用紙選択画面５６と同様のリセットキー５４が表示されている。
【００６０】
図７は、シンプルコピーのテンキー画面の説明図である。図４に示したコピー第１画面５１やコピー第２画面５２の例えば中央下端には、部数表示欄５８が表示されている。ユーザが部数表示欄５８をタップすると、図７に示すように、画像形成の処理部数を入力するためのテンキー５９が表示画面の中央に表示され、さらにテンキー入力表示欄５９ａがテンキー５９の上側に表示される。テンキー５９で入力し、この画面の右上に示されたＯＫボタンを選択すると、例えば部数表示欄５８やテンキー５９が消え、テンキー入力表示欄５９ａだけが表示される。これにより、テンキー５９で入力する際に、部数表示欄５８が例えば手首で隠れても、テンキー入力表示欄５９ａはテンキー５９の上側にあって手で隠れ難くなるため、テンキー５９の入力結果の確認が容易になる。
【００６１】
以上のように、上記実施形態によれば、シンプルコピーを選択すると、図１で説明した表示制御部３０が、図４のコピー第１画面５１を表示させる。適当な用紙を選んでからコピーしたい場合、例えばコピー第１画面５１で用紙選択ボタン５５ａを選択すると、図５のシンプルコピーの用紙選択画面５６を表示させるが、用紙選択画面５６にもスタートキー５３とリセットキー５４が表示され、しかも互いに離間して表示されている。そして、用紙選択画面５６で用紙の設定が完了した場合、用紙選択画面５６に表示のスタートキー５３を押し下げれば、コピーが開始される。よって、用紙を設定してからコピーが開始されるまで、ノーマルモードでは表示されていた使用しない他の機能ボタンやテンキーなどが目に入って意識してしまうことがなく、用紙選択画面５６の一画面で完結可能になる。
【００６２】
上記実施形態ではシンプルコピーの例を挙げて説明したが、この形態に限定されるものではない。例えばシンプルファックスやシンプルスキャンの場合にも、シンプルコピー説明した効果と同様の効果を得ることできる。
【００６３】
なお、上記実施形態では、コピー第１画面５１およびコピー第２画面５２において、スタートキー５３は操作パネル２０の右下のコーナ領域に表示され、リセットキー５４は操作パネル２０の左下のコーナ領域に表示される場合について説明したが、これに限定される必要はない。たとえば、リセットキー５４は、操作パネル２０の左上または右上のコーナ領域に表示されてもよい。また、スタートキー５３とリセットキー５４が表示される位置は入れ替えられてもよい。つまり、スタートキー５３は、操作パネル２０のいずれか１つのコーナ領域（角部）に表示され、リセットキー５４は、他のコーナ領域に表示される。これらのことは、後述する、スタートキー６３とリセットキー６４についても同様であり、スタートキー７３とリセットキー７４について同様である。
【００６４】
（第２実施形態）
図８は、シンプルファックスの基本画面の説明図である。
【００６５】
図３に示したシンプルファックスボタン４３ｂあるいはシンプルファックスボタン４４ｂを選択すると、図８（Ａ）に示すファックス第１画面６１が表示され、フリック操作などによって、ファックス第１画面６１から図８（Ｂ）に示すファックス第２画面６２に遷移できる。ファックス第１画面６１およびファックス第２画面６２は、動作モードがシンプルファックスである場合に、アドレス帳による宛先の選択、履歴の表示、直接入力、原稿サイズの設定、原稿の読み取りの濃度の設定、画質の設定および回線選択などの動作条件を設定するための画面である。
【００６６】
ファックス第１画面６１には、動作モードがシンプルファックスであることを表示するための表示領域６００が上端部に設けられ、この表示領域６００の下方に、機能選択画像６５を表示するための表示領域６１０が設けられる。さらに、この表示領域６１０の下方であり、ファックス第１画面６１の下端部には、スタートキー６３およびリセットキー６４を表示するための表示領域６２０が設けられる。表示領域６００、６１０、６２０は、それぞれ、横方向に長い長方形状を有している。
【００６７】
ファックス第１画面６１の例えば右下のコーナ領域には、スタートキー６３が表示されている。つまり、スタートキー６３は、表示領域６２０の右端の領域に表示されている。スタートキー６３は横方向に長い長方形状で設けられている。
【００６８】
一方、ファックス第１画面６１の例えば左下のコーナ領域には、リセットキー６４が表示されている。つまり、リセットキー６４は、表示領域６２０の左端の領域に表示されている。リセットキー６４は、横方向に長い長方形状で設けられるが、スタートキー６３よりも小さなサイズで設けられている。
【００６９】
図８（Ｂ）に示したファックス第２画面６２にも、ファックス第１画面６１と同様に、右下のコーナ領域にはスタートキー６３が表示され、左下のコーナ領域にはリセットキー６４が表示されている。
【００７０】
これに対し、スタートキー６３およびリセットキー６４を除いた残りの領域には、機能選択画像６５だけが表示されている。
【００７１】
例えばファックス第１画面６１には、スタートキー６３およびリセットキー６４よりも上方であって、表示領域６１０の左端から右端に亘って、アドレス帳ボタン６５ａ、履歴ボタン６５ｂ、直接入力ボタン６５ｃによる３個の機能ボタンが設けられている。ファックス第２画面６２には、ファックス第１画面６１と同様の位置に、原稿ボタン６５ｄ、濃度ボタン６５ｅ、画質ボタン６５ｆ、回線選択ボタン６５ｇによる４個の機能ボタンが設けられている。
【００７２】
このファックス画面６１，６２においても、メニュー画像４４が切り替え可能に表示された表示領域４１０と同じ位置に、同じまたは同程度の大きさで、機能選択画像６５が切り替え可能に表示された表示領域６２０を設けるので、各ホーム画面４１，４２と移動可能な画像の表示領域の配列（レイアウト）が類似する。また、一度に表示されるメニュー画像４４の数と、機能選択画像６５の数とは同じまたは略同じであり、いずれの画像４４，６５も横方向に並んでいるため、表示領域４１０と表示領域６２０の内部における画像の配列も類似する。なお、図８（Ａ）に示したファックス第１画面６１では、機能選択画像６５の数は、メニュー画像４４の数よりも少ない。
【００７３】
また、ボタン画像４６ａ〜４６ｆが固定的に表示された表示領域４２０と同じ位置に、同じまたは同程度大きさで、各キー６３，６４が固定的に表示された表示領域６２０を設けるので、各ホーム画面４１，４２と、ファックス画面６１，６２とは、各ボタンないしキーを表示する表示領域の配列（レイアウト）も類似する。
【００７４】
よって、動作モードとしてシンプルファックスが選択された場合にも、操作時におけるユーザの戸惑いを出来る限り低減することができる。
【００７５】
ただし、選択可能な機能数を制限したシンプルモードでは、例えば大量原稿モード、原稿枚数カウント、時刻指定などの項目は選べない。シンプルモードで選べない項目は、図３（Ｂ）に示したホーム第２画面４２のファックスボタン４４ｆを選択する、あるいは、図８のファックス第１画面６１やファックス第２画面６２の右上に示された詳細ボタンを選択することにより、ノーマルモードに移行してから実行する。
【００７６】
そして、図８（Ａ）に示したファックス第１画面６１で、例えばアドレス帳ボタン６５ａを選択した場合、シンプルファックスのアドレス帳画面が表示される。
【００７７】
図９は、シンプルファックスのアドレス帳画面の説明図であり、図８（Ａ）に示したファックス第１画面６１で、アドレス帳ボタン６５ａを選択した場合、シンプルファックスのアドレス帳画面６６が表示される。アドレス帳画面６６には、現在選択可能な宛先やファックス番号が表示画面の中央から左端にかけて表示されており、上下方向にスクロール可能である。
【００７８】
ここで、アドレス帳画面６６の右下のコーナ領域には、横方向に長い長方形状のスタートキー６３が表示されている。つまり、このスタートキー６３は、図８で説明したファックス第１画面６１やファックス第２画面６２に表示されたスタートキーと同じ右下のコーナ領域に、同じ形状、かつ、同じ大きさで表示されている。そして宛先の選択が完了した場合、スタートキー６３が選択可能になる。
【００７９】
一方、アドレス帳画面６６の右上のコーナ領域には、リセットキー６４が表示されている。つまり、このリセットキー６４は、ファックス第１画面６１やファックス第２画面６２に表示されたリセットキーとは異なるコーナ領域に、同じ形状で表示されている。
【００８０】
ファックスモードのように、例えば宛先を表示画面の上下方向に表示する場合、リセットキーを表示画面の左下から移動させて右上のコーナ領域に表示すれば、宛先の表示領域を確保できると共に、押し間違いを減らすことができ、画像形成装置の動作の開始や設定の中止を速やかに行える。
【００８１】
なお、大きな表示画面の場合には、スタートキーとリセットキーは、対角線上のコーナ領域にそれぞれ表示することも可能である。
【００８２】
（第３実施形態）
図１０は、シンプルスキャンの基本画面の説明図である。
【００８３】
図３に示したシンプルスキャンボタン４３ｃあるいはシンプルスキャンボタン４４ｃを選択すると、図１０（Ａ）に示したスキャン第１画面７１が表示され、フリック操作などによって、スキャン第１画面７１から図１０（Ｂ）に示すスキャン第２画面７２に遷移できる。スキャン第１画面７１およびスキャン第２画面７２は、動作モードがシンプルスキャンである場合に、アドレス帳による宛先の選択、履歴の表示、グローバルアドレス検索、保存先の設定、原稿サイズの設定、原稿の読み取りの解像度の設定、フォーマットの設定および白紙飛ばし機能などの動作条件を設定するための画面である。
【００８４】
スキャン第１画面７１には、動作モードがシンプルスキャンであることを表示するための表示領域７００が上端部に設けられ、この表示領域７００の下方に、機能選択画像７５を表示するための表示領域７１０が設けられる。さらに、この表示領域７１０の下方であり、スキャン第１画面７１の下端部には、スタートキー７３およびリセットキー７４などを表示するための表示領域７２０が設けられる。表示領域７００、７１０、７２０は、それぞれ、横方向に長い長方形状を有している。
【００８５】
スキャン第１画面７１の右下のコーナ領域には、図４で説明したスタートキー５３と同じ、白黒スタートキー７３ａおよびカラースタートキー７３ｂからなるスタートキー７３が表示されている。つまり、スタートキー７３は、表示領域７２０の右端の領域に表示されている。
【００８６】
一方、スキャン第１画面７１の左下のコーナ領域には、図４で説明したリセットキー５４と同じリセットキー７４が表示されている。つまり、リセットキー７４は、表示領域７２０の左端の領域に表示されている。
【００８７】
図１０（Ｂ）に示したスキャン第２画面７２にも、スキャン第１画面７１と同様に、右下のコーナ領域にはスタートキー７３が表示され、左下のコーナ領域にはリセットキー７４が表示されている。
【００８８】
これに対し、スタートキー７３およびリセットキー７４を除いた残りの領域には、機能選択画像７５が表示されている。
【００８９】
例えばスキャン第１画面７１には、スタートキー７３およびリセットキー７４よりも上方であって、表示領域７１０の左端から右端に亘って、アドレス帳ボタン７５ａ、履歴ボタン７５ｂ、グローバルアドレス検索ボタン７５ｃ、本体／デバイス保存ボタン７５ｄによる４個の機能ボタンが設けられている。スキャン第２画面７２には、スキャン第１画面７１と同様の位置に、原稿ボタン７５ｅ、解像度ボタン７５ｆ、フォーマットボタン７５ｇ、白紙飛ばしボタン７５ｈによる４個の機能ボタンが設けられている。
【００９０】
このスキャン画面７１，７２においても、メニュー画像４４が切り替え可能に表示された表示領域４１０と同じ位置に、同じまたは同程度の大きさで、機能選択画像７５が切り替え可能に表示された表示領域７２０を設けるので、各ホーム画面４１，４２と移動可能な画像の表示領域の配列（レイアウト）が類似する。また、一度に表示されるメニュー画像４４の数と、機能選択画像７５の数とは同じであり、いずれの画像４４，７５も横方向に並んでいるため、表示領域４１０と表示領域７２０の内部における画像の配列も類似する。
【００９１】
また、ボタン画像４６ａ〜４６ｆが固定的に表示された表示領域４２０と同じ位置に、同じまたは同程度大きさで、各キー７３，７４等が固定的に表示された表示領域７２０を設けるので、各ホーム画面４１，４２と、スキャン画面７１，７２とは、各ボタンないしキーを表示する表示領域の配列（レイアウト）も類似する。
【００９２】
よって、動作モードとしてシンプルスキャンが選択された場合にも、操作時におけるユーザの戸惑いを出来る限り低減することができる。
【００９３】
ただし、選択可能な機能数を制限したシンプルモードでは、例えば大量原稿モード、原稿枚数カウント、ブック分割などの項目は選べない。シンプルモードで選べない項目は、図３（Ｂ）に示したホーム第２画面４２のファックスボタン４４ｆを選択して例えばイメージ送信を選択する、あるいは、図１０のスキャン第１画面７１やスキャン第２画面７２の右上に示された詳細ボタンを選択することにより、ノーマルモードに移行してから実行できる。
【００９４】
そして、図１０（Ａ）に示したスキャン第１画面７１で、例えば履歴ボタン７５ｂを選択した場合、シンプルスキャンの履歴画面が表示される。
【００９５】
図１１は、シンプルスキャンの履歴画面の説明図であり、履歴画面７６には、現在再送信可能な宛名やアドレスが表示画面の中央から左端にかけて表示されている。なお、履歴数が増えると、上下方向にスクロール可能である。
【００９６】
ここで、履歴画面７６の右下のコーナ領域には、横方向に長い長方形状のスタートキー７３が表示されている。つまり、このスタートキー７３は、図１０で説明したスキャン第１画面７１やスキャン第２画面７２に表示されたスタートキーと同じ右下のコーナ領域に、同じ形状、かつ、同じ大きさで表示されている。
【００９７】
一方、履歴画面７６の右上のコーナ領域には、リセットキー７４が表示されている。つまり、このリセットキー７４は、スキャン第１画面７１やスキャン第２画面７２に表示されたリセットキーとは異なるコーナ領域に、同じ形状で表示されている。
【００９８】
スキャナモードのように、例えば履歴を表示画面の上下方向に表示する場合、リセットキーを表示画面の左下から移動させて右上のコーナ領域に表示すれば、履歴の表示領域を確保できると共に、押し間違いを減らすことができ、画像形成装置の動作の開始や設定の中止を速やかに行える。
【００９９】
（第４実施形態）
第４実施形態では、各動作モードを選択するとともに、選択された動作モードにおける制御部１７の処理を具体的に説明する。図１２は、制御部１７の画像形成装置１０の全体の動作を制御するための制御処理の一例を示すフロー図である。図１３および図１４は、制御部１７のシンプルコピー処理の一例を示すフロー図である。図１５および図１６は、制御部１７のシンプルファックス処理の一例を示すフロー図である。図１７および図１８は、制御部１７のシンプルスキャン処理の一例を示すフロー図である。
【０１００】
画像形成装置１０の電源がオンされたり、画像形成装置１０が省電力モードから通常モードに移行されたりすると、図１２に示すように、制御部１７は、制御処理を開始し、ステップＳ１で、図３（Ａ）に示したようなホーム第１画面４１を操作パネル２０に表示する。
【０１０１】
次のステップＳ３では、ユーザ操作があるかどうかを判断する。ここでは、制御部１７は、操作パネル２０を構成するタッチパネル２１から座標データが入力されたかどうかを判断する。また、制御部１７は、ハードキー２３から操作データが入力されたかどうかを判断する。ステップＳ３で“ＮＯ”であれば、つまり、ユーザ操作が無ければ、そのままステップＳ１に戻る。一方、ステップＳ３で“ＹＥＳ”であれば、つまり、ユーザ操作が有れば、ステップＳ５で、矢印ボタン４５がタップ操作されたか、または、フリック操作が行われたかどうかを判断する。
【０１０２】
ここでは、制御部１７は、タッチパネル２１から入力された座標データが矢印ボタン４５の表示領域に含まれるかどうかを判断することにより、矢印ボタン４５がタップ操作されたかどうかを判断する。以下、同様であり、操作パネル２０に表示される他のボタンまたはキーがタップ操作かどうかおよび表示欄がタップ操作（指示または選択）されたかどうかを判断する場合についても同様である。また、制御部１７は、座標データが示すタッチ位置が所定時間内に所定距離以上変化したかどうかを判断することにより、フリック操作が行われたかどうかを判断する。以下、同様である。
【０１０３】
ステップＳ５で“ＹＥＳ”であれば、つまり、矢印ボタン４５がタップ操作された、または、フリック操作が行われた場合には、ステップＳ７で、ホーム第１画面４１と図３（Ｂ）に示したようなホーム第２画面４２とを切り替える。つまり、ステップＳ７では、操作パネル２０にホーム第１画面４１が表示されている場合には、ホーム第２画面４２に切り替え、操作パネル２０にホーム第２画面４２が表示されている場合には、ホーム第１画面４１に切り替える。後述するように、コピー第１画面５１とコピー第２画面５２を切り替える場合、ファックス第１画面６１とファックス第２画面６２を切り替える場合、およびスキャン第１画面７１とスキャン第２画面７２を切り替える場合についても同様である。
【０１０４】
一方、ステップＳ５で“ＮＯ”であれば、つまり、矢印ボタン４５がタップ操作されておらず、フリック操作も行われていない場合には、ステップＳ９で、シンプルコピーボタン４３ａ、４４ａがタップ操作されたかどうかを判断する。
【０１０５】
ステップＳ９で“ＹＥＳ”であれば、つまり、シンプルコピーボタン４３ａ、４４ａがタップ操作されれば、後述するシンプルコピー処理（図１３および図１４参照）を実行して、ステップＳ１に戻る。一方、ステップＳ９で“ＮＯ”であれば、つまり、シンプルコピーボタン４３ａ、４４ａがタップ操作されていなければ、ステップＳ１３で、シンプルファックスボタン４３ｂ、４４ｂがタップ操作されたかどうかを判断する。
【０１０６】
ステップＳ１３で“ＹＥＳ”であれば、つまり、シンプルファックスボタン４３ｂ、４４ｂがタップ操作されれば、ステップＳ１５で、後述するシンプルファックス処理（図１５および図１６参照）を実行して、ステップＳ１に戻る。一方、ステップＳ１３で“ＮＯ”であれば、つまり、シンプルファックスボタン４３ｂ、４４ｂがタップ操作されていなければ、ステップＳ１７で、シンプルスキャンボタン４３ｃ、４４ｃがタップ操作されたかどうかを判断する。
【０１０７】
ステップＳ１７で“ＹＥＳ”であれば、つまり、シンプルスキャンボタン４３ｃ、４４ｃがタップ操作されれば、ステップＳ１９で、後述するシンプルスキャン処理（図１７および図１８）を実行して、ステップＳ１に戻る。一方、ステップＳ１７で“ＮＯ”であれば、つまり、シンプルスキャンボタン４３ｃ、４４ｃがタップ操作されていなければ、ステップＳ２１で、その他の処理を実行して、ステップＳ１に戻る。たとえば、その他の処理は、ホーム第１画面４１またはホーム第２画面４２に表示される他のボタンまたはキーに応じた処理が実行される。
【０１０８】
なお、シンプルコピー処理、シンプルファックス処理またはシンプルスキャン処理において、ハードキー２３のホームボタンが操作された場合には、割り込み処理を実行し、各処理を強制終了して、ステップＳ１に戻る。
【０１０９】
図１３および図１４は図１２に示したステップＳ１１のシンプルコピー処理の一例を示すフロー図である。以下、シンプルコピー処理について説明するが、既に説明した処理と同じ処理および同様の処理については簡単に説明することにする。図１３に示すように、シンプルコピー処理を開始すると、ステップＳ５１で、図４（Ａ）に示したようなコピー第１画面５１を操作パネル２０に表示する。次のステップＳ５３では、ユーザ操作があるかどうかを判断する。ステップＳ５３で“ＮＯ”であれば、そのままステップＳ５１に戻る。
【０１１０】
一方、ステップＳ５３で“ＹＥＳ”であれば、ステップＳ５５で、矢印ボタン４５がタップ操作されたか、または、フリック操作が行われたかどうかを判断する。ステップＳ５５で“ＹＥＳ”であれば、ステップＳ５７で、コピー第１画面５１と図４（Ｂ）に示したようなコピー第２画面５２とを切り替える。
【０１１１】
一方、ステップＳ５５で“ＮＯ”であれば、ステップＳ５９で、用紙選択ボタン５５ａがタップ操作されたかどうかを判断する。ステップＳ５９で“ＹＥＳ”であれば、つまり、用紙選択ボタン５５ａがタップ操作されれば、ステップＳ６１で、図５に示したような用紙選択画面５６を操作パネル２０に表示して、ステップＳ５３に戻る。一方、ステップＳ５９で“ＮＯ”であれば、つまり、用紙選択ボタン５５ａがタップ操作されていなければ、ステップＳ６３で、両面コピーボタン５５ｂがタップ操作されたかどうかを判断する。
【０１１２】
ステップＳ６３で“ＹＥＳ”であれば、つまり、両面コピーボタン５５ｂがタップ操作されれば、ステップＳ６５で、図６に示したような両面コピー画面５７を操作パネル２０に表示して、ステップＳ５３に戻る。一方、ステップＳ６３で“ＮＯ”であれば、つまり、両面コピーボタン５５ｂがタップ操作されていなければ、ステップＳ６７で、部数表示欄５８がタップ（選択）されたかどうかを判断する。
【０１１３】
ステップＳ６７で“ＹＥＳ”であれば、つまり、部数表示欄５８がタップされれば、ステップＳ６９で、テンキー画面（テンキー５９およびテンキー入力表示欄５９ａ）を操作パネル２０に表示して、ステップＳ５３に戻る。一方、ステップＳ６７で“ＮＯ”であれば、ステップＳ７１で、設定内容の変更かどうかを判断する。具体的には、用紙選択画面５６が操作パネル２０に表示されている場合には、設定内容としてトレイや用紙の種類が選択（変更）されたかどうかを判断する。また、両面コピー画面５７が操作パネル２０に表示されている場合には、設定内容として両面コピーの種類やとじ方が選択（変更）されたかどうかを判断する。さらに、テンキー画面が操作パネル２０に表示されている場合には、設定内容として処理部数がテンキー５９で入力（変更）されたり、ＯＫボタンがタップ操作されることにより、処理部数が確定されたりしたかどうかを判断する。
【０１１４】
ステップＳ７１で“ＹＥＳ”であれば、つまり、設定内容の変更であれば、ステップＳ７３で、表示中の画面に応じた設定内容の変更処理を実行して、ステップＳ５３に戻る。一方、ステップＳ７１で“ＮＯ”であれば、設定内容の変更でなければ、図１４に示すステップＳ７５で、リセットキー５４がタップ操作されたかどうかを判断する。ステップＳ７５で“ＹＥＳ”であれば、つまり、リセットキー５４がタップ操作されれば、ステップＳ７７で、設定内容を初期化して、図１３に示したステップＳ５３に戻る。一方、ステップＳ７５で“ＮＯ”であれば、つまり、リセットキー５４がタップ操作されていなければ、ステップＳ７９で、スタートキー５３がタップ操作されたかどうかを判断する。
【０１１５】
ステップＳ７９で“ＮＯ”であれば、つまり、スタートキー５３がタップ操作されていなければ、ステップＳ８１で、その他の処理を実行して、ステップＳ５３に戻る。詳細な説明は省略するが、その他の処理としては、倍率の選択画面の表示、倍率の選択、ステーブル機能のオン／オフ、カラーモードの設定画面の表示、カラーモードの設定、画像の向きの選択画面の表示、画像の向きの設定、コピー濃度の設定画面の表示、コピー濃度の設定、ページ集約の選択画面の表示またはページ集約の選択などの処理が該当する。また、ホームボタンが操作された場合には、制御部１７は、シンプルコピー処理を強制終了し、割り込みで図１２に示したステップＳ１に戻る。このことは、後述する、シンプルファックス処理およびシンプルスキャン処理についても同様である。
【０１１６】
一方、ステップＳ７９で“ＹＥＳ”であれば、つまり、スタートキー５３がタップ操作されていれば、ステップＳ８３で、コピー処理を実行して、ステップＳ５３に戻る。ただし、ステップＳ８３では、白黒スタートキー５３ａがタップ操作された場合には、モノクロの印刷処理が実行され、カラースタートキー５３ｂがタップ操作された場合には、カラーの印刷処理が実行される。
【０１１７】
図１５および図１６は、図１２に示したステップＳ１５のシンプルファックス処理の一例を示すフロー図である。以下、シンプルファックス処理について説明するが、既に説明した処理と同じ処理および同様の処理については簡単に説明することにする。図１５に示すように、シンプルファックス処理を開始すると、ステップＳ１０１で、図８（Ａ）に示したようなファックス第１画面６１を操作パネル２０に表示する。次のステップＳ１０３では、ユーザ操作があるかどうかを判断する。ステップＳ１０３で“ＮＯ”であれば、そのままステップＳ１０１に戻る。
【０１１８】
一方、ステップＳ１０３で“ＹＥＳ”であれば、ステップＳ１０５で、矢印ボタン４５がタップ操作されたか、または、フリック操作が行われたかどうかを判断する。ステップＳ１０５で“ＹＥＳ”であれば、ステップＳ１０７で、ファックス第１画面６１と図８（Ｂ）に示したようなファックス第２画面６２とを切り替える。
【０１１９】
一方、ステップＳ１０５で“ＮＯ”であれば、ステップＳ１０９で、アドレス帳ボタン６５ａがタップ操作されたかどうかを判断する。ステップＳ１０９で“ＹＥＳ”であれば、つまり、アドレス帳ボタン６５ａがタップ操作されれば、ステップＳ１１１で、図９に示したようなアドレス帳画面６６を操作パネル２０に表示して、ステップＳ１０３に戻る。一方、ステップＳ１０９で“ＮＯ”であれば、つまり、アドレス帳ボタン６５ａがタップ操作されていなければ、ステップＳ１１３で、履歴ボタン６５ｂがタップ操作されたかどうかを判断する。
【０１２０】
ステップＳ１１３で“ＹＥＳ”であれば、つまり、履歴ボタン６５ｂがタップ操作されれば、ステップＳ１１５で、シンプルファックスの履歴画面を操作パネル２０に表示して、ステップＳ１０３に戻る。一方、ステップＳ１１３で“ＮＯ”であれば、ステップＳ１１７で、設定内容の変更かどうかを判断する。具体的には、アドレス帳画面６６が操作パネル２０に表示されている場合には、設定内容として並び替えが選択（変更）されたかどうかを判断する。また、履歴画面が操作パネル２０に表示されている場合には、設定内容として再送信したい宛先が選択されたかどうかを判断する。
【０１２１】
ステップＳ１１７で“ＹＥＳ”であれば、つまり、設定内容の変更であれば、ステップＳ１１９で、表示中の画面に応じた設定内容の変更処理を実行して、ステップＳ１０３に戻る。一方、ステップＳ１１７で“ＮＯ”であれば、設定内容の変更でなければ、図１６に示すステップＳ１２１で、リセットキー６４がタップ操作されたかどうかを判断する。ステップＳ１２１で“ＹＥＳ”であれば、ステップＳ１２３で、設定内容を初期化して、図１５に示したステップＳ１０３に戻る。一方、ステップＳ１２１で“ＮＯ”であれば、ステップＳ１２５で、スタートキー６３がタップ操作されたかどうかを判断する。
【０１２２】
ステップＳ１２５で“ＮＯ”であれば、つまり、スタートキー６３がタップ操作されていなければ、ステップＳ１２７で、その他の処理を実行して、ステップＳ１０３に戻る。詳細な説明は省略するが、その他の処理としては、ファックス番号の直接入力を行うための画面の表示、ファックス番号の直接入力、原稿サイズの設定画面の表示、原稿サイズの選択、原稿の読み取りの濃度の設定画面の表示、濃度の設定、原稿の読み取りの画質の設定画面の表示、画質の設定、回線の選択画面の表示、回線の選択などの処理が該当する。また、ホームボタンが操作された場合には、制御部１７は、シンプルファックス処理を強制終了し、割り込みで図１２に示したステップＳ１に戻る。
【０１２３】
一方、ステップＳ１２５で“ＹＥＳ”であれば、つまり、スタートキー６３がタップ操作されていれば、ステップＳ１２９で、ファックス送信処理を実行して、ステップＳ１０３に戻る。
【０１２４】
図１７および図１８は、図１２に示したステップＳ１９のシンプルスキャン処理の一例を示すフロー図である。以下、シンプルスキャン処理について説明するが、既に説明した処理と同じ処理および同様の処理については簡単に説明することにする。図１７に示すように、シンプルスキャン処理を開始すると、ステップＳ１５１で、図１０（Ａ）に示したようなスキャン第１画面７１を操作パネル２０に表示する。次のステップＳ１５３では、ユーザ操作があるかどうかを判断する。ステップＳ１５３で“ＮＯ”であれば、そのままステップＳ１５１に戻る。
【０１２５】
一方、ステップＳ１５３で“ＹＥＳ”であれば、ステップＳ１５５で、矢印ボタン４５がタップ操作されたか、または、フリック操作が行われたかどうかを判断する。ステップＳ１５５で“ＹＥＳ”であれば、ステップＳ１５７で、スキャン第１画面７１と図１０（Ｂ）に示したようなスキャン第２画面７２とを切り替える。
【０１２６】
一方、ステップＳ１５５で“ＮＯ”であれば、ステップＳ１５９で、アドレス帳ボタン７５ａがタップ操作されたかどうかを判断する。ステップＳ１５９で“ＹＥＳ”であれば、つまり、アドレス帳ボタン７５ａがタップ操作されれば、ステップＳ１６１で、アドレス帳画面を操作パネル２０に表示して、ステップＳ１５３に戻る。一方、ステップＳ１５９で“ＮＯ”であれば、つまり、アドレス帳ボタン７５ａがタップ操作されていなければ、ステップＳ１６３で、履歴ボタン７５ｂがタップ操作されたかどうかを判断する。
【０１２７】
ステップＳ１６３で“ＹＥＳ”であれば、つまり、履歴ボタン７５ｂがタップ操作されれば、ステップＳ１６５で、シンプルスキャンの履歴画面７６を操作パネル２０に表示して、ステップＳ１５３に戻る。一方、ステップＳ１６３で“ＮＯ”であれば、ステップＳ１６７で、設定内容の変更かどうかを判断する。具体的には、アドレス帳画面が操作パネル２０に表示されている場合には、設定内容として並び替えが選択（変更）されたかどうかを判断する。また、履歴画面７６が操作パネル２０に表示されている場合には、設定内容として再送信したい宛先が選択されたかどうかを判断する。
【０１２８】
ステップＳ１６７で“ＹＥＳ”であれば、つまり、設定内容の変更であれば、ステップＳ１６９で、表示中の画面に応じた設定内容の変更処理を実行して、ステップＳ１５３に戻る。一方、ステップＳ１６７で“ＮＯ”であれば、設定内容の変更でなければ、図１８に示すステップＳ１７１で、リセットキー７４がタップ操作されたかどうかを判断する。ステップＳ１７１で“ＹＥＳ”であれば、ステップＳ１７３で、設定内容を初期化して、図１７に示したステップＳ１５３に戻る。一方、ステップＳ１７１で“ＮＯ”であれば、ステップＳ１７５で、スタートキー７３がタップ操作されたかどうかを判断する。
【０１２９】
ステップＳ１７５で“ＮＯ”であれば、つまり、スタートキー７３がタップ操作されていなければ、ステップＳ１７７で、その他の処理を実行して、ステップＳ１５３に戻る。詳細な説明は省略するが、その他の処理としては、グローバルアドレス検索を行うための画面の表示、グローバルアドレス研削の実行、本体／デバイス保存の選択、原稿サイズの設定画面の表示、原稿サイズの選択、原稿の読み取りの解像度の設定画面の表示、解像度の設定、フォーマットの選択画面の表示、フォーマットの選択、白紙飛ばし機能のオン／オフの選択などの処理が該当する。また、ホームボタンが操作された場合には、制御部１７は、シンプルスキャン処理を強制終了し、割り込みで図１２に示したステップＳ１に戻る。
【０１３０】
一方、ステップＳ１７５で“ＹＥＳ”であれば、つまり、スタートキー７３がタップ操作されていれば、ステップＳ１７９で、スキャン送信処理を実行して、ステップＳ１５３に戻る。ただし、ステップＳ１７９では、白黒スタートキー７３ａがタップ操作された場合には、モノクロのスキャン送信処理が実行され、カラースタートキー７３ｂがタップ操作された場合には、カラーのスキャン送信処理が実行される。
【符号の説明】
【０１３１】
１０…画像形成装置、１１…通信Ｉ／Ｆ、１２…操作部、１３…原稿読取部、１４…画像処理部、１５…印刷部、１６…記憶部、１７…制御部、２０…操作パネル、２１…タッチパネル、２２…ディスプレイ、２３…ハードキー、３０…表示制御部、３１…入力画像領域、４１…ホーム第１画面、４２…ホーム第２画面、４３ａ…シンプルコピーボタン、４３ｂ…シンプルファックスボタン、４３ｃ…シンプルスキャンボタン、４４…メニュー画像、４４ａ…シンプルコピーボタン、４４ｂ…シンプルファックスボタン、４４ｃ…シンプルスキャンボタン、４４ｄ…ＦＴＰ／Ｄｅｓｋｔｏｐボタン、４４ｅ…コピーボタン、４４ｆ…ファックスボタン、４４ｇ…Ｅ−Ｍａｉｌボタン、４４ｈ…共有フォルダーボタン、４５…矢印ボタン、５１…コピー第１画面、５２…コピー第２画面、５３，６３，７３…スタートキー、５３ａ，７３ａ…白黒スタートキー、５３ｂ，７３ｂ…カラースタートキー、５４，６４，７４…リセットキー、５５，６５，７５…機能選択画像、５５ａ…用紙選択ボタン、５５ｂ…両面コピーボタン、５５ｃ…倍率ボタン、５５ｄ…ステープルボタン、５５ｅ…カラーモードボタン、５５ｆ…画像の向きボタン、５５ｇ…コピー濃度ボタン、５５ｈ…ページ集約ボタン、５６…用紙選択画面、５７…両面コピー画面、５８…部数表示欄、５９…テンキー、５９ａ…テンキー入力表示欄、６１…ファックス第１画面、６２…ファックス第２画面、６５ａ，７５ａ…アドレス帳ボタン、６５ｂ，７５ｂ…履歴ボタン、６５ｃ…直接入力ボタン、６５ｄ，７５ｅ…原稿ボタン、６５ｅ…濃度ボタン、６５ｆ…画質ボタン、６５ｇ…回線選択ボタン、６６…アドレス帳画面、７１…スキャン第１画面、７２…スキャン第２画面、７５ｃ…グローバルアドレス検索ボタン、７５ｄ…本体／デバイス保存ボタン、７５ｆ…解像度ボタン、７５ｇ…フォーマットボタン、７５ｈ…白紙飛ばしボタン、７６…履歴画面、４００…システム領域、４１０，４２０，５００，５１０，５２０，６００，６１０，６２０，７００，７１０，７２０…表示領域。
【図１】
0006784517.tif 000002
【図２】
0006784517.tif 000003
【図３】
0006784517.tif 000004
【図４】
0006784517.tif 000005
【図５】
0006784517.tif 000006
【図６】
0006784517.tif 000007
【図７】
0006784517.tif 000008
【図８】
0006784517.tif 000009
【図９】
0006784517.tif 000010
【図１０】
0006784517.tif 000011
【図１１】
0006784517.tif 000012
【図１２】
0006784517.tif 000013
【図１３】
0006784517.tif 000014
【図１４】
0006784517.tif 000015
【図１５】
0006784517.tif 000016
【図１６】
0006784517.tif 000017
【図１７】
0006784517.tif 000018
【図１８】
0006784517.tif 000019